(57)【要約】【課題】一つのプリセットボタンに対し同一内容の番組が重複して設定されることを防ぐと共に、放送局データを格納する内蔵ＲＯＭを用いることなく、常に最新の情報に基づいた制御を可能にする。【解決手段】ＲＤＳデータが重畳された放送電波を受信する受信処理部２と、各種処理を実行するための演算処理を行う制御部１０と、各種データを記憶及び読み出し可能にする記憶部３と、音声情報を含むデジタルデータを処理するＤＳＰ処理部６と、受信局の設定を適宜変更又は調整するプリセット機能を実現するための処理を行うプリセット処理部１１と、プリセットボタンを有して構成される入力部４と、出力部５と、ＲＤＳデータに基づいて、プリセットボタンと、ＰＴＹコードと、ＲＤＳデータにおいて該ＰＴＹコードが割り付けられたＰＩコードとを関連付けた構造のデータを作成するリスト作成部１２とを備える。【選択図】  図１
2009201021.tif 000002
【特許請求の範囲】
【請求項１】
番組の識別を可能にするＰＩコードと、放送内容のジャンルを示すＰＴＹコードとを含んで構成されるＲＤＳデータが重畳された放送電波を受信する受信処理部と、
各種処理を実行するための演算処理を行う制御部と、
各種データを記憶及び読み出し可能にする記憶部と、
音声情報を含むデジタルデータを処理するＤＳＰ処理部と、
受信局の設定を適宜変更又は調整するプリセット機能を実現するための処理を行うプリセット処理部と、
ユーザによる操作命令を前記制御部へ伝達するユーザインターフェースであり、前記プリセット機能の使用時に操作されるプリセットボタンを有して構成される入力部と、
前記制御部により作成された情報をユーザ側に伝達するユーザインターフェースである出力部と、
前記受信処理部により受信されたＲＤＳデータに基づいて、前記プリセットボタンと、前記ＰＴＹコードと、該ＲＤＳデータにおいて該ＰＴＹコードが割り付けられた前記ＰＩコードとを関連付けた構造のデータを作成するリスト作成部と、
を備えるＲＤＳラジオ受信機。
【請求項２】
前記プリセット処理部は、前記プリセットボタンになされる操作に応じて、該操作されたプリセットボタンに割り付けられた前記ＰＩコードを切り替え、該ＰＩコードに基づいて、受信する周波数を決定する、
請求項１記載のＲＤＳラジオ受信機。
【請求項３】
番組の識別を可能にするＰＩコードと、放送内容のジャンルを示すＰＴＹコードとを含んで構成されるＲＤＳデータが重畳された放送電波を受信し、
受信局の設定を適宜変更又は調整するためのプリセット機能を備えるＲＤＳラジオ受信機の制御方法であって、
前記プリセット機能を使用する際にユーザにより操作されるプリセットボタンと、前記ＰＴＹコードと、前記ＲＤＳデータにおいて該ＰＴＹコードが割り付けられた前記ＰＩコードとを関連付けた構造のデータを作成するステップを有する、
ＲＤＳラジオ受信機の制御方法。
【請求項４】
更に、前記プリセットボタンになされる操作に応じて、該操作されたプリセットボタンに割り付けられた前記ＰＩコードを切り替え、該ＰＩコードに基づいて、受信する周波数を決定するステップを有する、
請求項３記載のＲＤＳラジオ受信機の制御方法。
【請求項５】
番組の識別を可能にするＰＩコードと、放送内容のジャンルを示すＰＴＹコードとを含んで構成されるＲＤＳデータが重畳された放送電波を受信し、
受信局の設定を適宜変更又は調整するためのプリセット機能を備えるＲＤＳラジオ受信機において利用されるデータ構造であって、
前記プリセット機能を使用する際にユーザにより操作されるプリセットボタンと、前記ＰＴＹコードと、前記ＲＤＳデータにおいて該ＰＴＹコードが割り付けられた前記ＰＩコードとが関連づけられてなるデータ構造。
【発明の詳細な説明】
【技術分野】
【０００１】
本発明は、ＲＤＳ（Radio Data System）放送を受信可能なラジオ受信機に関し、特に受信局の設定を適宜変更又は調整するためのプリセット機能に関するものである。
【背景技術】
【０００２】
近年、ＦＭラジオの放送信号に付加情報を重畳して放送するＲＤＳ放送が行われている。ＲＤＳデータには、番組を識別するために各ＲＤＳデータに付されるＰＩ（Program Identification）コード、放送内容のジャンルを示すＰＴＹ（Program Type）コード、交通情報の放送状況を識別するＴＡ／ＴＰ（Traffic Announcement Identification / Traffic Program Identification）コード等の情報が含まれている。このようなＲＤＳ放送を受信可能なラジオ受信機においては、自動車等の移動体で使用される場合の移動に伴う信号受信状態の変化や、ユーザの嗜好に対応するべく、受信局の設定を適宜変更又は調整するためのプリセット機能を特に強化することが求められている。
【０００３】
プリセット機能に関する技術として、次のような従来発明が開示されている。この従来発明に係るラジオ受信機は、放送周波数と放送番組の種別情報の対を含む放送局データを１単位とした複数の放送局データを格納する格納部と、放送電波を受信処理する受信処理部とを有するラジオ受信機において、前記識別情報を選択するための種別選択情報を入力する入力部と、前記種別選択情報が入力されたとき、該種別選択情報に基づいて前記複数の放送局データを検索し該種別選択情報に対応する種別情報を有する放送局データを順次前記格納部から取り出す検索手段とを有するものである（特許文献１参照）。
【０００４】
この従来発明においては、あるジャンルが割り付けられたプリセットボタン（入力部）に所定の操作（長押し）をすると、内蔵ＲＯＭ（格納部）に格納された図４（ａ）に例示するような放送局データリストから、図４（ｂ）及び（ｃ）に示すように、同じジャンル、即ちＰＴＹを有する放送局データが抽出され、その中から受信可能な周波数が検波され、図４（ｄ）に示すように、操作されたプリセットボタンに対し、ジャンル（ＰＴＹ）毎に受信可能な周波数がリスト化されて割り付けられる。そして、プリセットボタンに所定の操作（短押し）をすると、このプリセットボタンに割り付けられた次の周波数に切り替わり、これに伴い放送内容が切り替わる。具体的には、図４（ｄ）において、最初の時点での受信周波数がFx001_Aであった場合、プリセットボタン１が１回短押しされることによりFx021_Aに切り替わる。
【特許文献１】特開平７−２５４８４５号公報
【発明の開示】
【発明が解決しようとする課題】
【０００５】
しかしながら、上記した特許文献１に係る装置においては、各プリセットボタンに対する周波数、即ち受信局の割り付けが、ＰＴＹコード、即ちジャンルのみによりなされるため、この受信局が提供する番組の識別まで行うことはできない。このため、一つのプリセットボタンに、同一内容の番組が重複して割り付けられてしまうといった不具合が生ずる場合がある。
【０００６】
また、この従来発明においては、内蔵ＲＯＭに格納された放送局データ（地域、ジャンル、周波数等）から、プリセットボタンに割り付ける周波数をピックアップしているが、内蔵ＲＯＭの情報は通常時には更新不可能な状態にあるため、放送局の増減、放送局側の使用周波数の変更等の状況変化に対応するのが難しいという問題がある。
【課題を解決するための手段】
【０００７】
上記課題の解決を図る本発明は、番組の識別を可能にするＰＩコードと、放送内容のジャンルを示すＰＴＹコードとを含んで構成されるＲＤＳデータが重畳された放送電波を受信する受信処理部と、各種処理を実行するための演算処理を行う制御部と、各種データを記憶及び読み出し可能にする記憶部と、音声情報を含むデジタルデータを処理するＤＳＰ処理部と、受信局の設定を適宜変更又は調整するプリセット機能を実現するための処理を行うプリセット処理部と、ユーザによる操作命令を前記制御部へ伝達するユーザインターフェースであり、前記プリセット機能の使用時に操作されるプリセットボタンを有して構成される入力部と、前記制御部により作成された情報をユーザ側に伝達するユーザインターフェースである出力部と、前記受信処理部により受信されたＲＤＳデータに基づいて、前記プリセットボタンと、前記ＰＴＹコードと、該ＲＤＳデータにおいて該ＰＴＹコードが割り付けられた前記ＰＩコードとを関連付けた構造のデータを作成するリスト作成部とを備えるＲＤＳラジオ受信機である。
【０００８】
このＲＤＳラジオ受信機によれば、装置の使用時に受信されるＲＤＳデータに基づいて、プリセットボタンとＰＴＹコードとＰＩコードとが関連付けられたリストが作成され、このリストに基づいてプリセットボタンの設定が行われるので、最新の情報に基づいて、放送内容のジャンルだけでなく、番組の異同も考慮した設定が可能となる。
【０００９】
また、本発明は、番組の識別を可能にするＰＩコードと、放送内容のジャンルを示すＰＴＹコードとを含んで構成されるＲＤＳデータが重畳された放送電波を受信し、受信局の設定を適宜変更又は調整するためのプリセット機能を備えるＲＤＳラジオ受信機の制御方法であって、前記プリセット機能を使用する際にユーザにより操作されるプリセットボタンと、前記ＰＴＹコードと、前記ＲＤＳデータにおいて該ＰＴＹコードが割り付けられた前記ＰＩコードとを関連付けた構造のデータを作成するステップを有するものである。
【００１０】
このＲＤＳラジオ受信機の制御方法によれば、上記と同様に、装置の使用時に受信されるＲＤＳデータに基づいて、プリセットボタンとＰＴＹコードとＰＩコードとが関連付けられたリストが作成され、このリストに基づいてプリセットボタンの設定が行われるので、最新の情報に基づいて、放送内容のジャンルだけでなく、番組の異同も考慮した設定が可能となる。
【００１１】
また、本発明は、番組の識別を可能にするＰＩコードと、放送内容のジャンルを示すＰＴＹコードとを含んで構成されるＲＤＳデータが重畳された放送電波を受信し、受信局の設定を適宜変更又は調整するためのプリセット機能を備えるＲＤＳラジオ受信機において利用されるデータ構造であって、前記プリセット機能を使用する際にユーザにより操作されるプリセットボタンと、前記ＰＴＹコードと、前記ＲＤＳデータにおいて該ＰＴＹコードが割り付けられた前記ＰＩコードとが関連づけられてなるものである。
【００１２】
このような構造を有するデータを利用することにより、上記した本発明に係るＲＤＳラジオ受信機及びその制御方法を実現させることができる。
【発明の効果】
【００１３】
上記発明により、一つのプリセットボタンに同一内容の番組が重複して設定されることを防ぐと共に、放送局データを格納する内蔵ＲＯＭを用いることなく、最新の情報に基づいた制御が可能になる。
【発明を実施するための最良の形態】
【００１４】
発明の実施の形態１．
図１において、本発明に係るＲＤＳラジオ受信機１の構成が、ブロック図により示されている。このＲＤＳラジオ受信機１は、受信処理部２、記憶部３、入力部４、出力部５、ＤＰＳ処理部６、制御部１０、プリセット処理部１１、及びリスト作成部１２を有して構成されている。
【００１５】
受信処理部２は、ＰＬＬ回路や同調回路等から構成され、ＲＤＳデータを含む放送電波を受信し、変調からベースバンド抽出までの処理を行う。
【００１６】
記憶部３は、ＲＡＭ等の一時記憶用メモリからなり、受信したＲＤＳデータ、後述するリスト作成部１２により作成されるデータ、その他各種制御の実行中に発生する一時データ等の記憶及び読み出しを可能にするものである。
【００１７】
入力部４は、ユーザによる操作命令を制御部１０へ伝達するユーザインターフェースであり、電源ボタン、ジャンル切り替えボタン、チューニングボタン、そして複数のプリセットボタン等により構成される。
【００１８】
出力部５は、制御部１０等により作成された情報をユーザ側に伝達するユーザインターフェースであり、音声を発生させるスピーカ、電光、液晶等の型式により情報を視認的に表示させるディスプレイ等により構成される。
【００１９】
ＤＳＰ処理部６は、ＣＰＵ、プログラム等の協働により、音響信号等の処理を行う部分であり、放送される音楽のジャンルに合った音響効果を作り出す等の作用を奏する。
【００２０】
制御部１０は、ＣＰＵ、プログラム等の協働により、各種情報処理を実行し、前記各部２〜６の制御を行う部分である。また、制御部１０は、本発明を特定するための機能的要素として、後述するプリセット処理部１１及びリスト作成部１２を有している。
【００２１】
プリセット処理部１１は、ＣＰＵ、プログラム、及び前記入力部４の一部を構成するプリセットボタン等の協働により、受信局の設定を適宜変更又は調整するための処理を行う部分である。プリセット機能自体は、従来からラジオ装置に適用されているものであり、例えば自動車等の移動に伴う受信可能な周波数帯の変化や、ユーザの嗜好に対応するために、ユーザによる操作又は自動制御により、受信局（周波数）の設定変更を可能にするものである。
【００２２】
リスト作成部１２は、ＣＰＵ、プログラム等の協働により、前記受信処理部２により受信されたＲＤＳデータに基づいて、前記プリセット機能の実行に有効な情報を作成する処理を行う部分である。
【００２３】
図２において、このリスト作成部１２による処理を中心とするプリセット機能を実現するために実施される処理の流れが示されている。先ず、受信処理部２、制御部１０等により、放送電波からＲＤＳデータを受信する処理が行われる（Ｓ１）。この処理については、本発明の要部ではなく、周知の技術を適宜利用して実現できるものであるため、その説明を省略する。前記Ｓ１において受信されたＲＤＳデータは、例えば図３（ａ）に例示する状態で記憶部３に格納される。図３（ａ）に示すＲＤＳデータ２０は、放送内容のジャンルを示すＰＴＹコード欄２１、番組識別のためのＰＩコード欄２２、ＴＡ／ＴＰ、周波数等のその他の情報欄２３を有して構成されている。
【００２４】
次いで、図２中Ｓ２に示すように、前記リスト作成部１２により、前記ＲＤＳデータ２０に基づいて、ＰＴＹコードとＰＩコードとを関連付けてリスト化する処理が行われる。このＳ２において、図３（ｂ）に例示するようなＰＴＹ−ＰＩリスト３０が作成される。このＰＴＹ−ＰＩリスト３０は、ＰＴＹコード欄３１、該当ＰＩコード群欄３２を有して構成され、この該当ＰＩコード群欄３２は、前記ＲＤＳデータ２０から同一のＰＴＹコードを有するＰＩコードを抽出し、ＰＴＹコード毎に割り付けたものである。
【００２５】
次いで、図２中Ｓ３に示すように、前記リスト作成部１２により、前記ＰＴＹ−ＰＩリスト３０に基づいて、プリセットボタンとＰＴＹコードとＰＩコードとを関連付けてリスト化する処理が行われる。このＳ３において、図３（ｃ）に例示するようなプリセットボタン−ＰＴＹ−ＰＩリスト４０が作成される。このプリセットボタン−ＰＴＹ−ＰＩリスト４０は、プリセットボタン欄４１、ＰＴＹコード欄４２、ジャンル名欄４３、該当ＰＩコード群欄４４を有して構成され、前記ＰＴＹ−ＰＩリスト３０に基づいて、複数設けられたプリセットボタン毎にＰＴＹ（ジャンル）を割り当て、更にこのＰＴＹ毎にＰＩコード群を割り当てたものである。尚、前記ジャンル名欄４３は、付属的な情報を提供するものであり、本発明において必ずしも必要なものではない。
【００２６】
上記のようにして作成されたプリセットボタン−ＰＴＹ−ＰＩリスト４０は、前記記憶部３に格納され、図２中Ｓ４に示すように、プリセットボタンによる放送選択処理に利用される。このＳ４において、制御部１０は、プリセットボタンになされる操作に応じて、このプリセットボタンに割り当てられたＰＩコードを決定し、このＰＩコードにより特定される周波数の放送を受信する処理を実行する。具体的には、前記プリセットボタン−ＰＴＹ−ＰＩリスト４０（図３（ｃ）参照）において、現在受信している放送局（ＰＩコード）が"Ｃ００１"である状態でプリセットボタンが一回短押しされると、ＰＩコードを"Ｃ０１１"に切り替え、このＰＩコードに該当する周波数の受信を開始する。ＰＩコードから周波数を特定する処理は、図３（ａ）に示す前記ＲＤＳデータ２０等の情報に基づいて行うことができる。また、一つのＰＩコードから複数の周波数が特定される場合には、最も受信強度の強い周波数を使用する等の処理を行う。
【００２７】
以上のように、本発明に係るＲＤＳラジオ受信機１によれば、リスト作成手段１２により、ＰＴＹコード毎にＰＩコードを割り当てる処理が行われ、図３（ｃ）に示すようなプリセットボタン−ＰＴＹ−ＰＩリスト４０が作成され、これに基づいてプリセットボタンの設定が行われるので、放送内容のジャンルだけでなく、番組の異同も考慮した設定が可能となる。これにより、一つのプリセットボタンに同一内容の番組が重複して登録されるといった不具合を防ぐことができる。また、前記プリセットボタン−ＰＴＹ−ＰＩリスト４０は、装置の使用時に受信されるＲＤＳデータに基づいて作成されるので、放送局データ（放送局所在地、ジャンル、周波数等）を格納する内蔵ＲＯＭを備えることなく、常に最新の情報に基づいた制御が可能となる。
【図面の簡単な説明】
【００２８】
【図１】本発明の実施の形態に係るＲＤＳラジオ受信機の構成を示すブロック図である。
【図２】本発明の実施の形態に係るＲＤＳラジオ受信機におけるプリセット機能を実現するために実施される処理の流れを示すフローチャートである。
【図３】本発明の実施の形態においてプリセット機能に利用されるデータ構造の例であり、（ａ）はＲＤＳデータの構造例であり、（ｂ）はＰＴＹ−ＰＩリストの構造例であり、（ｃ）はプリセットボタン−ＰＴＹ−ＰＩリストの構造例である。
【図４】（ａ）〜（ｄ）は従来技術においてプリセット機能に利用されるデータ構造の例である。
【符号の説明】
【００２９】
１  ＲＤＳラジオ受信機
２  受信処理部
３  記憶部
４  入力部
５  表示部
６  ＤＰＳ処理部
１０  制御部
１１  プリセット処理部
１２  リスト作成部
３０  ＰＴＹ−ＰＩリスト
４０  プリセットボタン−ＰＴＹ−ＰＩリスト
【図１】
2009201021.tif 000003
【図２】
2009201021.tif 000004
【図３】
2009201021.tif 000005
【図４】
2009201021.tif 000006